(57)【要約】【課題】発／着信されたメールの内容を情報種別に関係なく単一のキー操作により確認することのできる移動体通信端末を提供する。【解決手段】発信又は着信履歴および情報内容を保存したメモリと、保存された発信又は着信履歴および情報内容を表示させる表示器とを備えた移動体通信端末であって、移動体通信端末は、メモリから発信又は着信履歴をリスト状に読み出すと共に、表示器の表示を待機画面から発信又は着信履歴リストへと表示を切り替えるために押下される、第１のキーおよび第２のキーと、発信又は着信履歴リスト中から所定の発信又は着信履歴の表示時に押下するごとに表示器に順次表示させ、かつ選択するためのアップキーとダウンキーとを含み、第１のキーの押下に続いて第２のキーを押下することによって、第２のキーはそのキーを単独で押下した際に果たす機能ではなく、メモリから発信又は着信履歴リストを読み出す機能を果たす。【選択図】      図１
2008172850.tif 000002
【特許請求の範囲】
【請求項１】
発信又は着信履歴および情報内容を保存したメモリと、保存された発信又は着信履歴および情報内容を表示させる表示器とを備えた移動体通信端末であって、
前記移動体通信端末は、
前記メモリから発信又は着信履歴をリスト状に読み出すと共に、前記表示器の表示を待機画面から発信又は着信履歴リストへと表示を切り替えるために押下される、第１のキーおよび第２のキーと、
前記発信又は着信履歴リスト中から所定の発信又は着信履歴の表示時に押下するごとに前記表示器に順次表示させ、かつ選択するためのアップキーとダウンキーとを含み、
前記第１のキーの押下に続いて前記第２のキーを押下することによって、前記第２のキーはそのキーを単独で押下した際に果たす機能ではなく、前記メモリから発信又は着信履歴リストを読み出す機能を果たす、ことを特徴とする移動体通信端末。
【請求項２】
請求項１に記載の移動体通信端末において、
前記第２のキーが、前記アップキーまたはダウンキーである、ことを特徴とする移動体通信端末。
【請求項３】
請求項１に記載の移動体通信端末において、
前記移動体通信端末が、前記選択して表示された所定の発信又は着信履歴の情報内容を前記表示器に表示させる第３のキーを含む、ことを特徴とする移動体通信端末。
【請求項４】
請求項１に記載の移動体通信端末において、
前記所定の発信又は着信履歴が表示されている際に第４のキーを押下することによって通話可能となる、ことを特徴とする移動体通信端末。
【請求項５】
請求項３に記載の移動体通信端末において、
前記所定の発信又は着信履歴の情報内容が表示されている際に第４のキーを押下することによって通話可能となる、ことを特徴とする移動体通信端末。
【請求項６】
請求項３に記載の移動体通信端末において、
前記所定の発信又は着信履歴の情報内容が表示されている際に、第５のキーを押下することによって前記表示器の表示を前記所定の発信又は着信履歴の情報内容から前記発信又は着信履歴リストへと表示を切り替える、ことを特徴とする移動体通信端末。
【請求項７】
請求項１に記載の移動体通信端末において、
前記アップキーは複数のキー機能を有する一つのキーの第１の端部を押下することに対応し、
前記ダウンキーは前記一つのキーの第１の端部と前記一つのキーの中心に関して反対側の第２の端部を押下することに対応する、ことを特徴とする移動体通信端末。
【請求項８】
請求項７に記載の移動体通信端末において、
前記一つのキーの、前記第１の端部と前記第２の端部を結ぶ線と直交する線上の第３の端部のキーを押下することによって処理が進み、前記直交する線上の前記第３の端部と前記一つのキーの中心に関して反対側の第４の端部のキーを押下することによって処理が戻る、ことを特徴とする移動体通信端末。
【発明の詳細な説明】
【技術分野】
【０００１】
本発明は移動体通信端末に係り、より具体的にはＰＨＳ（パーソナルハンディホーンシステム）端末に有利に適用され、発／着信履歴から情報の内容を確認することのできる移動体通信端末に関する。
【背景技術】
【０００２】
一般にＰＨＳ、携帯電話では、着信時に相手の電話番号やその電話番号に対応する名前などの情報と着信時間等を表示する機能を有している。
したがって、着信時に発呼者側で応答がなかった場合には、発呼者の電話番号と着信時間とを電話機内に設けたメモリテーブルに記憶する。また、ＰＨＳ、携帯電話は通常の通話のほかにＰメール（２０文字までの文字メッセージ送受信）やＰメールＤＸ（約１０００文字までの文字メッセージ送受信）やベルメール（ポケベルへの文字伝送）の機能も加わり、文字メッセージやデータ通信の受信も可能である。
【０００３】
さらに移動体通信端末相互間の通信のほかにメールセンターを介した通信も可能である。このような情報種別の異なるメールの発／着信の履歴は移動体通信端末内に設けられたメモリテーブルに格納される。したがって着信時に受け手が電話に出ることが出来なかった場合には、着信履歴をメモリテーブルから読み出すことにより、発呼者名あるいは発信者電話番号のその着信時刻あるいは発呼のあったことを情報表示等により確認することができる。また受け手の応答操作なしに受信することのできる文字伝送、留守番メッセージ、データ通信等は着信履歴がその情報内容とともにメモリテーブルに格納される。
【発明の開示】
【発明が解決しようとする課題】
【０００４】
このように従来の通信端末は通信履歴を示すメモリテーブルを有し、この通信履歴を確認することによって情報の内容を確認することが出来るが、情報種別毎に着信履歴がメモリテーブルに格納されていた。さらにこの情報種別毎の履歴に分かれた履歴からその情報の内容を確認するためのキー操作も情報種別毎に異なっていた。したがって、例えばＰメール、ＰメールＤＸやＥメールなどの文字伝送の着信履歴と留守番メッセージ等の音声伝送の着信履歴とは、異なるキー操作によりその情報内容を確認する必要があった。
【０００５】
したがって、メモリテーブルから発／着信履歴を検索してその情報内容を確認するためのキー操作は複雑になるという問題があった。
本発明はこのような従来技術における問題点を解消し、発／着信される情報の種別にかかわらず同じキー操作によりその内容を確認することのできる移動体通信端末を提供することを目的とする。
【課題を解決するための手段】
【０００６】
（１）発信又は着信履歴および情報内容を保存したメモリと、保存された発信又は着信履歴および情報内容を表示させる表示器とを備えた移動体通信端末であって、
前記移動体通信端末は、
前記メモリから発信又は着信履歴をリスト状に読み出すと共に、前記表示器の表示を待機画面から発信又は着信履歴リストへと表示を切り替えるために押下される、第１のキーおよび第２のキー
3と、
前記発信又は着信履歴リスト中から所定の発信又は着信履歴の表示時に押下するごとに前記表示器に順次表示させ、かつ選択するためのアップキーとダウンキーとを含み、
前記第１のキーの押下に続いて前記第２のキーを押下することによって、前記第２のキーはそのキーを単独で押下した際に果たす機能ではなく、前記メモリから発信又は着信履歴リストを読み出す機能を果たす、ことを特徴とする。
【０００７】
（２）(１)の移動体通信端末において、
前記第２のキーが、前記アップキーまたはダウンキーである。
（３）(１)の移動体通信端末において、
前記移動体通信端末が、前記選択して表示された所定の発信又は着信履歴の情報内容を前記表示器に表示させる第３のキーを含む。
（４）(１)の移動体通信端末において、
前記所定の発信又は着信履歴が表示されている際に第４のキーを押下することによって通話可能となる。
（５）(３)の移動体通信端末において、
前記所定の発信又は着信履歴の情報内容が表示されている際に第４のキーを押下することによって通話可能となる。
（６）(３)の移動体通信端末において、
前記所定の発信又は着信履歴の情報内容が表示されている際に、第５のキーを押下することによって前記表示器の表示を前記所定の発信又は着信履歴の情報内容から前記発信又は着信履歴リストへと表示を切り替える。
（７）(１)の移動体通信端末において、
前記アップキーは複数のキー機能を有する一つのキーの第１の端部を押下することに対応し、
前記ダウンキーは前記一つのキーの第１の端部と前記一つのキーの中心に関して反対側の第２の端部を押下することに対応する。
（８）(７)の移動体通信端末において、
前記一つのキーの、前記第１の端部と前記第２の端部を結ぶ線と直交する線上の第３の端部のキーを押下することによって処理が進み、前記直交する線上の前記第３の端部と前記一つのキーの中心に関して反対側の第４の端部のキーを押下することによって処理が戻る。
【発明の効果】
【０００８】
実施の形態に基づいて詳細に説明するように、メールの情報の種別に係わらず発信または着信履歴中の情報内容を同じキー操作で確認することができるため、情報の種別を意識することなく簡易に端末を操作することが可能となる。
また情報の種別にかかわらず同じ履歴エリアに時間順に管理しているため、履歴確認時に情報を時間順に認識することができる。
また発／着信した情報種別を種別毎の発／着信履歴を確認することなく知り得る。
更に、本発明では各種の種別の異なる情報を一つのキー操作のみで表示確認することができるため、簡単なキー操作でメールを見、メールを呼出し、またメールを聞くことができるという利点がある。
【発明を実施するための最良の形態】
【０００９】
次に添付図面を参照して本発明による移動体通信端末の実施の形態を詳細に説明する。
図５は、本発明による移動体通信端末をＰＨＳ、携帯電話機に適用した時の実施の形態を示す機能ブロック図である。
また、図６は、本発明の移動体通信端末のフロントパネルの状態を示す外観構成図である。
【００１０】
アンテナ１２は待ち受けゾーンに該当する公衆基地局（図示せず）とデータのやり取りを行うために電波の輻射あるいは受信を行う。このアンテナ１２にはＲＦ部１４が接続されている。ＲＦ部１４は、アンテナ１２で受信した信号を増幅及び周波数変換してベースバンド部１６に復調用信号を出力するＲＦ受信回路と、ベースバンド部１６からの音声変調信号を増幅および周波数変換してアンテナ１２に出力する送信回路とにより構成されている。ベースバンド部１６はＣＰＵ１８およびコーデック２８に接続され、このＣＰＵ１８の制御により音声信号や発信者番号を含むアンテナ１２から受信したＲＦ信号の復調を行う。
【００１１】
また、ベースバンド部１６は、電源がオン状態の待ち受け時にＲＦ受信回路に受信した公衆基地局の識別番号であるＩＤやその受信電界強度をＣＰＵ１８に通知する。コーデック２８はデジタル信号をアナログ信号に、またアナログ信号をデジタル信号に変換する変換器である。すなわちコーデック２８は、ＣＰＵ１８の制御により、ベースバンド部１６やＣＰＵ１８から入力したデジタル音声信号をアナログ音声信号に変換してスピーカ（ＳＰ）２６に出力するとともに、マイク（ＭＩＣ）２４より入力したアナログ音声信号をデジタル音声信号に変換してベースバンド部１６に出力する。
【００１２】
ＣＰＵ１８は移動体通信端末の全体の制御を行う制御部であり、その内部にプログラム等が書き込まれた不揮発性メモリであるＲＯＭ１８ａとＲＡＭ１８ｂとに結合されている。ＲＡＭ１８ｂには待ち受け時の基地局として選択された基地局の情報などを含む基地局の情報などが一時的に格納される。ＣＰＵ１８には電話番号や基地局の受信電界強度、文字メッセージ等を表示する表示部２０と、電話番号や文字等を入力する入力キーや電源キー、発呼処理を行う発呼キー等の各種キーにより構成されたキー入力部２２とが接続されている。
【００１３】
また発呼側の電話番号とこの電話番号に対応する名前などの情報は電話帳としてＲＯＭ１８ａまたはＲＡＭ１８ｂに格納されている。更に着信履歴や発信履歴等を格納するためのメモリテーブルはＲＡＭ１８ｂ内に格納されている。
ＲＯＭ１８ａ又はＲＡＭ１８ｂ内に格納された各種情報のデータはファンクションキー３０あるいはキー入力部２２の操作により読み出して表示部２０に表示させることができる。
【００１４】
図３は着信時の呼出し時間や情報種別とそれに対応したシンボルマーク（アイコン）と対応付けて示した図である。
これらのマークはあらかじめＲＯＭ１８ａに格納されている。マーク１０１から１０４は顔マークと呼ばれるもので、それぞれ呼出し時間あるいは呼出し音回数応じて異なる顔マークが対応付けられる。即ち、マーク１０１は、着信があってから１５秒までの経過時間（呼出し音回数５回以内）に対して対応付けられた顔マークである。同様にマーク１０２は、呼出し時間が１６秒から３０秒まで（呼出し音回数６回から８回以内）に対応して設けられ、マーク１０３は呼出し時間が６０秒まで（呼出し音回数９回から１５回）に対応して設けられ、マーク１０４は呼出し時間が６１秒以上を超える場合（呼出し音回数１６回以上）に対応してそれぞれ設けられている。
【００１５】
マーク１０５は文字メッセージ伝送（Ｐメール）の受信があったことを示すマークである。マーク１０６はＤＴＭＦ信号による（例えば、ポケットベルからの）メールの受信があったことを示すベルメールマークである。またマーク１０７は留守番電話機能により留守番用件が録音されていることを示すマークである。またマーク１０８はデータ通信により（例えば、Ｅメール）データが受信されたことを示すマークである。
このように呼出し時間あるいは呼出し音回数に対応した顔マーク１０１から１０４や情報種別に対応したマーク１０５から１０８がそれぞれ定義され、ＲＯＭ１８ａに格納されている。
ここで例えば顔マークは呼出し時間が経過するに従って表情が不機嫌になるようにしておけば発呼者側がかなり長時間呼出しを続けていた場合発呼者による発呼用件の状態を読み取ることができる。
【００１６】
図４はメモリテーブルに格納された発／着信履歴を示す図である。
この発／着信履歴には顔マークや情報種別を示すマークとともに発信者番号、名前（電話帳照合）、着信日時、未読マーク、発信／着信の区分、リンク情報等が格納されている。通常このメモリテーブルは着信又は発信のあった時系列順に形成されて格納されている。メモリテーブルは通常情報種別に関係なく時系列順に着信データを格納しているが、発信履歴を示すメモリテーブルと異なるメモリテーブルとして構成することもできる。
【００１７】
図４に示すメモリテーブルは発／着信履歴を同一のテーブルに格納したもので、このメモリテーブルの先頭に格納されているデータは、着信履歴を示すものである。
ここで先頭に格納されている着信履歴によれば、発呼者は発呼後１６秒から３０秒以内に電話を切断したことを示している。発信者番号は発信者通知通話により発呼者から送られてくる。また発信者番号に対応する名前は電話帳機能からＲＯＭ１８ａから読み出されて表示される。着信日時は時計機能から着信時の着信日時を読みとり記録する。また応答動作をせずに発信者から切断された場合には未読マーク（米印）が付与される。リンク情報はメッセージなどの情報が格納されたアドレスを表示する。
【００１８】
図１は本発明による移動体通信端末を用いて、発信又は着信履歴中の情報内容を情報種別にかかわらず同一キー操作により確認する方法を説明した図である。
まず本発明による移動体通信端末に対して、種々の情報種別の着信あるいはこの端末から発信を行った場合には待機画面２００が表示される。この待機画面２００では日付と時刻のほかに、どのように情報種別の発／着信があったかを示すマークが表示される。
図１に示す例では、待機画面２００にすべての情報種別を示すマークが表示されているが、実際には発／着信のあった情報種別に対応するマークのみが表示される。
【００１９】
２００ａは電話による発／着信を示すマーク、２００ｂはＥメールなどのデータ通信を示すマーク、２００ｃは標題付きの長い文章のメール（以下ＰメールＤＸという）を示すマーク、２００ｄは標題なしの短いＰメールを示すマーク、２００ｅは留守番用件録音があることを示すマークである。これらの発／着信のデータはメモリテーブル内に時系列ごとに格納されている。
このような待機画面２００にある際に、着信履歴に基づき着信のあった情報内容を確認する場合の操作について説明する。
【００２０】
図６に示すキー４０（第１のキー）に続けてファンクションキー３０中のダウンキー３２（第２のキー）を押下する。するともっとも最近に着信のあった着信リストの表示が表示画面２０１のように行われる。この画面２０１の場合にはＰメールの着信があったことを示している。次いでダウンキー３２を押下すれば画面２０２が表示される。ここではＰメールＤＸの着信があったことを示す。次いでダウンキー３２を押下すれば、留守番用件が録音されていることを示す表示画面２０３が選択される。
【００２１】
さらにダウンキー３２を押下すると、顔マークが表示された画面２０４があらわれ、ここでは不在中に表示画面に示される電話番号の相手からの電話の着信があり、相手側は長時間待機した後に通話を切断した旨の情報を知ることができる。さらにダウンキー３２を押下することにより、ベルメールからの着信があったことを示す画面２０５が表示される。
なお、本実施の形態の場合、着信履歴は５個の着信があったことを示しており、着信５を示す表示画面２０５の表示の後に、ダウンキー３２を更に押下すると最初の表示画面２０１に戻る。
【００２２】
次に待機画面２００から発信履歴を表示させる操作について説明する。この場合にはキー４０（第１のキー）の押下の後に、ファンクションキー３０中のアップキー３３（第２のキー）を押下する。すると表示画面２０６が、続けて押下すると表示画面２０７が、次々に表示される。表示画面２０６はＰメールＤＸを発信したことを示し、また表示画面２０２はＰメールを発信したことをそれぞれ示す。発信リストの場合にも表示はアップキー３３を押下するたびに時系列的に最も古い発信履歴から順次表示されていく。着信履歴と同様にすべての発信履歴がリスト表示された後に更にアップキー３３を押下すると最初のリスト表示に戻る。
【００２３】
表示画面が画面２０１から２０７に示すようなリスト表示を行っている際に、このリスト表示されたメールの内容をチェックし、その情報内容を確認したい場合にはチェッカーキー操作と呼ばれるキー操作を行う。
本発明の場合、画面上にどのようなリスト表示がなされていても、すべて統一のチェッカーキー操作によりその情報内容を表示することが出来る点に特徴がある。本発明の場合このチェッカーキー操作は、ファンクションキー３０内のセットキー３１（第３のキー）を押下することにより行われる。
【００２４】
キー３１（第３のキー）を押下すると、表示画面２０１から２０７のリスト表示画面から表示画面２０１ａから２０７ａに示すような表示画面に変わり、その情報内容を確認することができる。なお表示画面２０４では電話着信があったことを示すのみで、情報内容は何らメモリテーブル中に格納されていないため、キー３１の押下があっても情報内容が表示されることはない。さらにリスト表示画面からその画面に表示されている相手方に対して通話を行いたい場合、セットキー３１に代えて通話キー３５（第４のキー）を押下することにより通話可能となる。なお、リスト表示画面に代えて内容表示画面からも通話キー３５（第４のキー）を押下することにより通話することができるように構成することも可能である。また内容表示画面からリスト表示画面に戻ることもでき、この場合にはファンクションキー３０内の機能キー３４を押下する。
【００２５】
図２は、図１に示したリスト表示画面と内容表示画面との関係を模式的に示した図である。
リスト表示画面では着信履歴のみが示される。すなわちどのような情報種別の発／着信があったのかのみが示される。このような着信履歴はキー３２及びキー３３（第２のキー）の押下により順次表示させてみることができる。このとき着信チェッカーキー３１（第３のキー）を押下することにより受信履歴に移行し各着信履歴中のリストに対してその情報内容をみることができる。なおＰメールＤＸ等のメールは携帯端末からメールセンターに対してセンターメールとして送信し、受信側の端末はこのメールセンターにメールをとりにいく。メールセンタから受け取ったセンターメールは直接受信履歴に入る。
【００２６】
なお上述した実施の形態においては、異なる情報種別を持つ発／着信のすべてを一つの履歴エリアで時間順に管理した場合について説明したが、着信履歴あるいは発信履歴の確認に際して、その情報種別毎にまたはそれに対応したマーク毎に検索し、表示することも可能である。また、発信・着信履歴表示する際に、マークによって優先順位を決定し、検索・表示することも可能である。
さらに発信・着信履歴に記憶される発信／着信種別またはそれに対応したマークに応じて、リスト表示中あるいは内容表示中から発信動作を行うと、前記発信／着信情報種別と同じ情報種別の伝達方法で発信（返信）することができる。
【図面の簡単な説明】
【００２７】
【図１】本発明の動作を説明するための図。
【図２】本発明による着信履歴と受信履歴との関係を示す図。
【図３】本発明で用いられるマークとこれに対応する定義とを示す図。
【図４】本発明で用いられる発／着信履歴を示すメモリテーブル。
【図５】本発明による移動体通信端末の機能ブロック図。
【図６】本発明の移動体通信端末のフロントパネル部の構成を示す外観図。
【符号の説明】
【００２８】
１２    アンテナ
１８    ＣＰＵ
１８ａ    ＲＯＭ
１８ｂ    ＲＡＭ
２０    表示部
２２    キー入力部
３０    ファンクションキー
３１    セットキー
３２    ダウンキー
３３    アップキー
３４    機能キー
３５    通話キー
４０    キー
【図１】
2008172850.tif 000003
【図２】
2008172850.tif 000004
【図３】
2008172850.tif 000005
【図４】
2008172850.tif 000006
【図５】
2008172850.tif 000007
【図６】
2008172850.tif 000008
【手続補正書】
【提出日】平成20年4月24日(2008.4.24)
【手続補正１】
【補正対象書類名】特許請求の範囲
【補正対象項目名】全文
【補正方法】変更
【補正の内容】
【特許請求の範囲】
【請求項１】
発信又は着信履歴および情報内容を保存した記憶手段と、保存された発信又は着信履歴および情報内容を表示させる表示器とを備えた移動体通信端末であって、
前記移動体通信端末は、
前記記憶手段から発信又は着信履歴をリスト状に読み出すと共に、前記表示器の表示を待機画面から発信又は着信履歴リストへと表示を切り替えるために押下される、第１のキーおよび第２のキーと、
前記発信又は着信履歴リスト中から所定の発信又は着信履歴の表示時に押下するごとに前記表示器に順次表示させ、かつ選択するためのアップキーとダウンキーとを含み、
前記第１のキーの押下に続いて前記第２のキーを押下することによって、前記第２のキーはそのキーを単独で押下した際に果たす機能ではなく、前記記憶手段から発信又は着信履歴リストを読み出す機能を果たす、ことを特徴とする移動体通信端末。
【請求項２】
請求項１に記載の移動体通信端末において、
前記第２のキーが、前記アップキーまたはダウンキーである、ことを特徴とする移動体通信端末。
【請求項３】
請求項１に記載の移動体通信端末において、
前記移動体通信端末が、前記選択して表示された所定の発信又は着信履歴の情報内容を前記表示器に表示させる第３のキーを含む、ことを特徴とする移動体通信端末。
【請求項４】
請求項１に記載の移動体通信端末において、
前記所定の発信又は着信履歴が表示されている際に第４のキーを押下することによって通話可能となる、ことを特徴とする移動体通信端末。
【請求項５】
請求項３に記載の移動体通信端末において、
前記所定の発信又は着信履歴の情報内容が表示されている際に第４のキーを押下することによって通話可能となる、ことを特徴とする移動体通信端末。
【請求項６】
請求項３に記載の移動体通信端末において、
前記所定の発信又は着信履歴の情報内容が表示されている際に、第５のキーを押下することによって前記表示器の表示を前記所定の発信又は着信履歴の情報内容から前記発信又は着信履歴リストへと表示を切り替える、ことを特徴とする移動体通信端末。
【請求項７】
請求項１に記載の移動体通信端末において、
前記アップキーは複数のキー機能を有する一つのキーの第１の端部のキー機能部位に対応し、
前記ダウンキーは前記一つのキーの第１の端部と前記一つのキーの中心に関して反対側の第２の端部のキー機能部位に対応する、ことを特徴とする移動体通信端末。
【請求項８】
請求項７に記載の移動体通信端末において、
前記一つのキー機能部位の、前記第１の端部と前記第２の端部を結ぶ線と直交する線上の第３の端部のキー機能部位を押下することによって処理が進み、前記直交する線上の前記第３の端部と前記一つのキーの中心に関して反対側の第４の端部のキー機能部位を押下することによって処理が戻る、ことを特徴とする移動体通信端末。
【請求項９】
着信時に発信側の電話番号および／またはその電話番号に対応する情報と着信時刻とを表示する表示器と、着信履歴を記憶する記憶手段とを備えた移動体通信端末において、
前記着信履歴の呼出し操作に応じて、前記着信履歴の一つを選択した状態で前記着信履歴に対応したリスト表示を前記表示器に行い、かつ、着信履歴の着信時の呼出し時間に関する情報を同時に表示する機能を有し、
アップキーまたはダウンキーの押下により、前記着信履歴の選択が順次遷移し、かつ、全ての着信履歴が前記リスト表示された後に前記アップキーまたはダウンキーを押下すると最初のリスト表示に戻ることを特徴とする移動体通信端末。
【請求項１０】
請求項９に記載の移動体通信端末において、
前記リスト表示時に、押下することによって選択された前記着信履歴に発信するための通話キーを更に備える、ことを特徴とする移動体通信端末。
【請求項１１】
請求項９に記載の移動体通信端末において、
前記リスト表示時に、押下することによって選択された前記着信履歴に関連する情報を表示させるためのチェッカーキーを更に備える、ことを特徴とする移動体通信端末。
【請求項１２】
請求項９に記載の移動体通信端末において、
前記呼出し時間に関する情報はアイコンとして表示される、ことを特徴とする移動体通信端末。
【請求項１３】
請求項９乃至１２に記載の移動体通信端末において、
前記記憶手段には応答の有無に関する情報が更に含まれる、ことを特徴とする移動体通信端末。
【請求項１４】
請求項９乃至１３に記載の移動体通信端末において、
前記着信時の呼出時間は、着信から、着信側が応答する前に発信側が回線を切断するまでの時間である、ことを特徴とする移動体通信端末。
【請求項１５】
請求項９乃至１３に記載の移動体通信端末において、
前記着信時の呼出時間は、着信から、着信側が応答したときまでの時間である、ことを特徴とする移動体通信端末。